【手続補正書】
【提出日】平成26年9月19日(2014.9.19)
【手続補正１】
【補正対象書類名】特許請求の範囲
【補正対象項目名】全文
【補正方法】変更
【補正の内容】
【特許請求の範囲】
【請求項１】
半径方向に拡張可能な複数のリング部と、隣接するリング部の間に配置された複数のブリッジ部とを備えたステントであって、
各リング部は、送達に適した収縮形態と、組織への係合および支持に適した半径方向拡張形態とを有し、
各リング部は複数の連結されたストラットから構成され、各リング部の隣接するストラットはともにコネクタに連結され、各リング部は近位端および遠位端を有し、複数のリング部は互いに軸方向に位置合わせされて長手方向軸を形成し、隣接するリング部のうちの一方のリング部の遠位端は他方のリング部の近位端に対向し、
複数のブリッジ部は隣接するリング部を連結し、１つまたはそれ以上のブリッジ部は第１の端部、第２の端部、およびこれらの端部の間に第１のブレース要素を有し、
ブリッジ部の第１の端部は第１の連結点で第１のリング部の遠位端に連結され、ブリッジ部の第２の端部は第２の連結点で隣接する第２のリング部の近位端に連結され、
それぞれの隣接するリング部が収縮形態にあるとき、１つのブリッジ部の第１のブレース要素が隣接するブリッジ部またはブレース要素に係合することにより、送達カテーテルへの装填時またはステントの展開時において、ステントに追加的な支持力および剛性を与え、ステントの座屈を抑制することを特徴とするステント。
【請求項２】
半径方向に拡張可能な複数のリング部と、隣接するリング部の間に配置された複数のブリッジ部とを備えたステントであって、
各リング部は、送達に適した収縮形態と、組織への係合および支持に適した半径方向拡張形態とを有し、
各リング部は複数の連結されたストラットから構成され、各リング部の隣接するストラットはともにコネクタに連結され、各リング部は近位端および遠位端を有し、複数のリング部は互いに軸方向に位置合わせされて長手方向軸を形成し、隣接するリング部のうちの一方のリング部の遠位端は他方のリング部の近位端に対向し、
複数のブリッジ部は隣接するリング部を連結し、１つまたはそれ以上のブリッジ部は第１の端部、第２の端部、およびこれらの端部の間に第１のブレース要素を有し、
ブリッジ部の第１の端部は第１の連結点で第１のリング部の遠位端に連結され、ブリッジ部の第２の端部は第２の連結点で隣接する第２のリング部の近位端に連結され、
単一のコラムに位置合わせされた第１のブレース要素はそれぞれ近位端および遠位端を有し、各ブレース要素の近位端および遠位端は傾斜した形状を有し、
それぞれの隣接するリング部が収縮形態にあるとき、１つのブリッジ部の第１のブレース要素が隣接するブリッジ部またはそのブレース要素に係合することを特徴とするステント。
【請求項３】
半径方向に拡張可能な複数のリング部と、隣接するリング部の間に配置された複数のブリッジ部とを備えたステントであって、
各リング部は、送達に適した収縮形態と、組織への係合および支持に適した半径方向拡張形態とを有し、
各リング部は複数の連結されたストラットから構成され、各リング部の隣接するストラットはともにコネクタに連結され、各リング部は近位端および遠位端を有し、複数のリング部は互いに軸方向に位置合わせされて長手方向軸を形成し、隣接するリング部のうちの一方のリング部の遠位端は他方のリング部の近位端に対向し、
複数のブリッジ部は隣接するリング部を連結し、１つまたはそれ以上のブリッジ部は第１の端部、第２の端部、およびこれらの端部の間に第１のブレース要素を有し、
ブリッジ部の第１の端部は第１の連結点で第１のリング部の遠位端に連結され、ブリッジ部の第２の端部は第２の連結点で隣接する第２のリング部の近位端に連結され、
単一のコラムに位置合わせされた複数のブレース要素のそれぞれは、複数の湾曲部を含む曲がりくねった形状を有し、
それぞれの隣接するリング部が収縮形態にあるとき、１つのブリッジ部の第１のブレース要素が隣接するブリッジ部またはそのブレース要素に係合することを特徴とするステント。
【請求項４】
半径方向に拡張可能な複数のリング部と、隣接するリング部の間に配置された複数のブリッジ部とを備えたステントであって、
各リング部は、送達に適した収縮形態と、組織への係合および支持に適した半径方向拡張形態とを有し、
各リング部は複数の連結されたストラットから構成され、各リング部は近位端および遠位端を有し、複数のリング部は互いに軸方向に位置合わせされて長手方向軸を形成し、隣接するリング部のうちの一方のリング部の遠位端は他方のリング部の近位端に対向し、
複数のブリッジ部は隣接するリング部を連結し、１つまたはそれ以上のブリッジ部は第１の端部および第２の端部を有し、ブリッジ部の第１の端部は第１の連結点で第１のリング部の遠位端に連結され、ブリッジ部の第２の端部は第２の連結点で隣接する第２のリング部の近位端に連結され、
複数のブリッジ部のそれぞれは複数の区分および複数の屈曲点を有し、各屈曲点は隣接する２つの区分の間に形成され、
それぞれの隣接するリング部が収縮形態にあるとき、第１のブリッジ部は複数のブリッジ部のうちの隣接するブリッジ部に係合することを特徴とするステント。
【請求項５】
複数の連結されたストラットは一連の頂部および谷部を構成することを特徴とする請求項１〜４のいずれか１に記載のステント。
【請求項６】
第１のリング部の頂部および谷部は隣接するリング部の頂部および谷部と同調することを特徴とする請求項５に記載のステント。
【請求項７】
複数のストラットを連結するコネクタはＵ字状またはＶ字状形状を有することを特徴とする請求項５に記載のステント。
【請求項８】
リング部は自己拡張することを特徴とする請求項５に記載のステント。
【請求項９】
リング部はバルーン拡張可能であることを特徴とする請求項５に記載のステント。
【請求項１０】
第１の連結点は第２の連結点に対し周方向の位置がずれているため、ブリッジ部は長手方向軸に対して傾斜していることを特徴とする請求項１〜４のいずれか１に記載のステント。
【請求項１１】
１つまたはそれ以上のブリッジ部は第１および第２のアームを有し、ブレース要素が第１および第２のアームの間に配置されることを特徴とする請求項１〜４のいずれか１に記載のステント。
【請求項１２】
第１のアームまたは第２のアームは直線的なストラットを含むことを特徴とする請求項１１に記載のステント。
【請求項１３】
第１のアームまたは第２のアームは幅を有し、第１のブレース要素は第１のアームまたは第２のアームは幅より広い幅を有することを特徴とする請求項１２に記載のステント。
【請求項１４】
第１の連結点は１つのリング部の頂部上にあり、第２の連結点は隣接するリング部の谷部上にあることを特徴とする請求項５に記載のステント。
【請求項１５】
第１の連結点は頂部の頂点上にあることを特徴とする請求項１４に記載のステント。
【請求項１６】
第２の連結点は谷部の底点上にあることを特徴とする請求項１４に記載のステント。
【請求項１７】
ブリッジ部は、第１のリング部の一体に連結された隣接するストラットのそれぞれの対を、隣接する第２のリング部または隣接する第３のリング部の一体に連結された隣接するストラットのそれぞれの対に連結されることを特徴とする請求項１〜４のいずれか１に記載のステント。
【請求項１８】
第１のブレース要素は平行四辺形形状の部分を含むことを特徴とする請求項１〜４のいずれか１に記載のステント。
【請求項１９】
第１のブレース要素は上側の係合表面および下側の係合表面を有し、上側の係合表面および下側の係合表面は、それぞれのリング部が収縮形態にあるとき、第１のブレース要素の上側の係合表面が隣接するブレース要素の下側の係合表面に係合し、第１のブレース要素の下側の係合表面が隣接するブレース要素の上側の係合表面に係合することを特徴とする請求項１〜４のいずれか１に記載のステント。
【請求項２０】
上側の係合表面および下側の係合表面は平坦な表面を有することを特徴とする請求項１９に記載のステント。
【請求項２１】
上側の係合表面は第１の形状を有し、隣接するブレース要素の下側の係合表面は第２の形状を有し、第１の形状と第２の形状が相補的に嵌合することを特徴とする請求項１９に記載のステント。
【請求項２２】
１つまたはそれ以上のブリッジ部はブレース要素をそれぞれ含む複数のブリッジ部からなり、ブリッジ部は２つの隣接するリング部を一体に接合し、各ブリッジ部上のブレース要素を軸方向に互いに位置合わせし、複数のブレース要素からなる周方向に配列されたコラムを形成することを特徴とする請求項１〜４のいずれか１に記載のステント。
【請求項２３】
１つまたはそれ以上のブリッジ部はブレース要素をそれぞれ含む複数のブリッジ部からなり、ブリッジ部は２つの隣接するリング部を一体に接合し、各ブリッジ部上のブレース要素を周方向に互いに位置合わせし、複数のブレース要素からなる軸方向に配列されたコラムを形成することを特徴とする請求項１〜４のいずれか１に記載のステント。
【請求項２４】
１つまたはそれ以上のブリッジ部はブレース要素をそれぞれ含む複数のブリッジ部からなり、ブリッジ部は２つの隣接するリング部を一体に接合し、第１のブリッジ部上のブレース要素の軸方向の位置が隣接するリング部上のブレース要素に対しずれていることを特徴とする請求項１〜４のいずれか１に記載のステント。
【請求項２５】
１つまたはそれ以上のブリッジ部はブレース要素をそれぞれ含む複数のブリッジ部からなり、ブリッジ部は２つの隣接するリング部を一体に接合し、複数のブレース要素は周方向に千鳥配列パターンを形成することを特徴とする請求項１〜４のいずれか１に記載のステント。
【請求項２６】
第１のブリッジ部は第１のリング部をこれに隣接する第２のリング部に連結し、第２のブリッジ部は第２のリング部をこれに隣接する第３のリング部に連結し、第１のブリッジ部が第１の傾斜勾配を有し、第２のブリッジ部が第１の傾斜勾配とは逆の傾斜勾配を有することを特徴とする請求項１〜４のいずれか１に記載のステント。
【請求項２７】
それぞれのリング部が半径方向拡張形態にあるとき、第１のブレース要素は隣接するブリッジ部のブレース要素とは当接しないことを特徴とする請求項１〜４のいずれか１に記載のステント。
【請求項２８】
隣接するリングの間に配置された複数のブリッジ部は、互いに対して実質的に平行な複数のブリッジ部からなることを特徴とする請求項１〜４のいずれか１に記載のステント。
【請求項２９】
１つまたはそれ以上のブリッジ部は長さを有し、第１のブレース要素はブリッジ部の長さより短いことを特徴とする請求項１〜４のいずれか１に記載のステント。
【請求項３０】
１つまたはそれ以上のブリッジ部は、第１のブリッジ部とはストラットにより分離された第２のブリッジ部を有することを特徴とする請求項１〜４のいずれか１に記載のステント。
【請求項３１】
１つまたはそれ以上のブリッジ部は複数のブレース要素を有することを特徴とする請求項１〜４のいずれか１に記載のステント。
【請求項３２】
１つまたはそれ以上のブリッジ部はストラットにより分離された第１のブレース要素および第２のブリッジ部を含む複数のブリッジ部を有し、複数のブリッジ部は２つの隣接するリング部を一体に接合し、
各ブリッジ部上の第１のブレース要素は互いに周方向に位置合わせされ、各ブリッジ部上の第２のブレース要素は互いに周方向に位置合わせされることにより、周方向に配列されたブレース要素からなる第１のコラムと、周方向に配列されたブレース要素からなる第２のコラムとが形成されることを特徴とする請求項３０に記載のステント。
【請求項３３】
第１のブレース要素はその全体の厚みを貫通して延びるスロット領域を有することを特徴とする請求項１〜４のいずれか１に記載のステント。
【請求項３４】
第１のブレース要素は、貫通するスロットを有することなく、中実のタブを有することを特徴とする請求項１〜４のいずれか１に記載のステント。
【請求項３５】
一対のブリッジ部は、それぞれがブレース要素を有し、２つの隣接するリング部を接合し、ブレース要素を含まないブリッジ部により分離され、２つの隣接するリング部を接合することを特徴とする請求項１〜４のいずれか１に記載のステント。
【請求項３６】
複数の連結されたストラットのうちの少なくともいくつかのストラットがブリッジ部で連結されないことを特徴とする請求項１〜４のいずれか１に記載のステント。
【請求項３７】
複数のブリッジ部のうちの少なくともいくつかのブリッジ部は、傾斜した近位端および遠位端を含むブレース要素を有することを特徴とする請求項１、３、または４に記載のステント。